(57)【要約】      （修正有）【課題】有害物質の遮蔽空間を膜で仕切り、防護服を着用し遮蔽空間内で安全に作業をでき、遮蔽空間に出入りしても防護服を廃棄しなくても良い２部材の着脱装置の提供。【解決手段】第１テープ３２と第２テープ３４を取り付けた第１シート３０と、第３テープ３７と第４テープ３９を取り付けた第２シート３５を互いに着脱する２部材の着脱装置で、第１テープと第２テープの第１のスライダー１１と第３テープと第４テープの第２のスライダー１２と第１テープと第３テープの第３のスライダー１３と第２テープと第４テープの第４のスライダーと上記４つにスライダーを取付けた移動部材１０と、上記４つのテープの端部を固定する端部固定部材２０を備え、移動部材を端部固定部材に対して接近する方向に移動させたときに、第１シートと第２シートとを離脱させ移動部材を端部固定部材に対し離間する方向に移動させたときに、第１シートと第２シートとを連結させる。【選択図】図１
2011136133.tif 000002
【特許請求の範囲】
【請求項１】
第１噛合部を有する第１テープ部材と第２噛合部を有する第２テープ部材とを取り付けた第１シート部材と、第３噛合部を有する第３テープ部材と第４噛合部を有する第４テープ部材とを取り付けた第２シート部材とを着脱する２部材の着脱装置であって、
上記第１テープ部材の第１噛合部と上記第２テープ部材の第２噛合部を噛合する併せ部と、上記噛合部の噛合を分離する分離部を形成した第１のスライダーと、
上記第３テープ部材の第３噛合部と上記第４テープ部材の第４噛合部を噛合する併せ部と、上記噛合部の噛合を分離する分離部を形成した第２のスライダーと、
上記第１テープ部材の第１噛合部と上記第３テープ部材の第３噛合部を噛合する併せ部と、上記噛合部の噛合を分離する分離部を形成した第３のスライダーと、
上記第２テープ部材の第２噛合部と上記第４テープ部材の第４噛合部を噛合する併せ部と、上記噛合部の噛合を分離する分離部を形成した第４のスライダーと、
上記第１のスライダーと第２のスライダーを同じ向きにして配置し、第３のスライダーと第４のスライダーを同じ向きにして配置し、かつ上記第１のスライダーと第２のスライダーの分離部と第３のスライダーと第４のスライダーの分離部を対向させて取り付けた移動部材と、
上記第１、第２テープ部材の端部を固定すると共に、第３、第４テープ部材の端部を着脱可能に固定する端部固定部材を備え、
上記移動部材を上記端部固定部材に対して接近する方向に移動させたときに、上記第１シート部材と第２シート部材とを離脱させ、
上記移動部材を上記端部固定部材に対して離間する方向に移動させたときに、上記第１シート部材と第２シート部材とを連結させる
ことを特徴とする２部材の着脱装置。
【請求項２】
請求項１に記載の２部材の着脱装置において、
上記第２スライダーは、上記移動部材に対して着脱自在に取り付けたことを特徴とする２部材の着脱装置。
【請求項３】
請求項１または２に記載の２部材の着脱装置において、
上記端部固定部材は、上記第１、第２テープ部材の端部を固定した主端部固定部材と、上記第３、第４テープ部材の端部を固定し、かつ上記主端部固定部材に着脱自在に取り付けた副端部固定部材とからなることを特徴とする２部材の着脱装置。
【発明の詳細な説明】
【技術分野】
【０００１】  本発明は、噛合部で着脱可能にできるファスナーを使用する２つ部材を同時に着脱できる着脱装置である。
【背景技術】
【０００２】  例えば、アスベストやダイオキシン等の有害物質を除去したり取り扱ったりする場合、これらの有害物質の拡散を防止すると共に、作業者が有害物質の影響を受けないようにする必要がある。このため、有害物質の飛散を防止したり作業者を防護したりするための資器材や製品が種々開発されており、また管理手法の改善が図られている。【０００３】  アスベストやダイオキシン等の有害物質を除去したり取り扱ったりする作業では、例えば有害物質が付着した既存物を気密な被膜で覆って汚染防止処理を行った後に、外部への飛散防止のために有害物質を除去する作業空間をシート状の遮蔽膜を用いて遮蔽し、さらに高性能のフィルターを装着した送風機で作業空間内部の空気を排出して、作業空間の内部を負圧状態とし、作業者は、有害物質の飛散する遮蔽された作業空間の内部において、防護服や呼吸用器機を着用して作業を行うようにする方法が実施されている（例えば、特許文献１参照）。【０００４】  しかしながら、有害物質で汚染された作業空間の内部に作業者が立ち入って除去作業等を行う場合、▲１▼作業者は、防護服や呼吸用器機を着用した場合でも、呼吸に伴って有害物質を吸引する危険に常に曝されることになる。また、▲２▼作業員が作業空間に出入りする際や、資器材や物品を作業空間に搬出入する際には、更衣室や空気シャワー室等の中間室を経由することになっているが、これらの中間室を負圧状態に維持するための構造やシステムが確立されていないため、外部への有害物質の飛散を十分に防止できないおそれがある。さらに、▲３▼作業空間の内部で一度でも使用された防護服や呼吸用器機等は、汚染されたものとしてその全てを管理型処分場に廃棄する必要があるため、防護服や呼吸用器機等の費用や廃棄処分費用が嵩むことになる。
【先行技術文献】
【特許文献】
【０００５】
【特許文献１】特開平９−２７９８６１号公報
【発明の概要】
【発明が解決しようとする課題】
【０００６】    本発明は、このような従来の技術的課題を鑑みてなされたものであり、有害物質のある遮蔽空間を遮蔽膜で仕切り、外部への有害物質の飛散を十分に防止すると共に、防護服を着用した作業員が遮蔽空間内で安全に作業をでき、作業員が遮蔽空間に出入りしても防護服を廃棄しなくても良い２部材の着脱装置を提供することを目的とする。
【課題を解決するための手段】
【０００７】  この課題を解決するために、この発明の２部材の着脱装置は、
第１噛合部を有する第１テープ部材と第２噛合部を有する第２テープ部材とを取り付けた第１シート部材と、第３噛合部を有する第３テープ部材と第４噛合部を有する第４テープ部材とを取り付けた第２シート部材とを着脱する２部材の着脱装置であって、
上記第１テープ部材の第１噛合部と上記第２テープ部材の第２噛合部を噛合する併せ部と、上記噛合部の噛合を分離する分離部を形成した第１のスライダーと、
上記第３テープ部材の第３噛合部と上記第４テープ部材の第４噛合部を噛合する併せ部と、上記噛合部の噛合を分離する分離部を形成した第２のスライダーと、
上記第１テープ部材の第１噛合部と上記第３テープ部材の第３噛合部を噛合する併せ部と、上記噛合部の噛合を分離する分離部を形成した第３のスライダーと、
上記第２テープ部材の第２噛合部と上記第４テープ部材の第４噛合部を噛合する併せ部と、上記噛合部の噛合を分離する分離部を形成した第４のスライダーと、
上記第１のスライダーと第２のスライダーを同じ向きにして配置し、第３のスライダーと第４のスライダーを同じ向きにして配置し、かつ上記第１のスライダーと第２のスライダーの分離部と第３のスライダーと第４のスライダーの分離部を対向させて取り付けた移動部材と、
上記第１、第２テープ部材の端部を固定すると共に、第３、第４テープ部材の端部を着脱可能に固定する端部固定部材を備え、
上記移動部材を上記端部固定部材に対して接近する方向に移動させたときに、上記第１シート部材と第２シート部材とを離脱させ、
上記移動部材を上記端部固定部材に対して離間する方向に移動させたときに、上記第１シート部材と第２シート部材とを連結させる
ことを特徴としている。【０００８】  また、１実施形態の２部材の着脱装置は、上記第２スライダーを上記移動部材に対して着脱自在に取り付けたことを特徴としている。【０００９】  また、１実施形態の２部材の着脱装置は、上記端部固定部材を、上記第１、第２テープ部材の端部を固定した主端部固定部材と、上記第３、第４テープ部材の端部を固定し、かつ上記主端部固定部材に着脱自在に取り付けた副端部固定部材とからなることを特徴としている。
【発明の効果】
【００１０】  この発明によれば、上記移動部材を上記端部固定部材に対して接近する方向に移動させたときに、上記第１シート部材と上記第２シート部材とを離脱されるので、たとえば、上記第１シート部材を清澄空間と有害物質の存在する遮蔽空間とを仕切る遮蔽膜に、上記第２シート部材を上記遮蔽空間内で作業する作業員が着用する防護服にすると、上記遮蔽膜から上記防護服を離脱でき、上記防護服を着用した作業員が有害物質に曝されることなく上記遮蔽空間内で入り、有害物質等の除去作業を行うことができる。
また、この発明によれば、上記移動部材を上記端部固定部材に対して離間する方向に移動させたときに、上記第１シート部材と上記第２シート部材とを連結させるので、たとえば、上記第１シート部材を清澄空間と有害物質の存在する遮蔽空間とを仕切る遮蔽膜に、上記第２シート部材を上記遮蔽空間内で作業する作業員が着用する防護服にすると、上記遮蔽膜と上記防護服が連結され、上記防護服の内部空間と上記遮蔽膜で仕切られた上記清澄空間とが連通し、上記防護服内の作業員は上記遮蔽空間内を通過することなく、有害物質に曝されることなく上記清澄空間内に出ることができる。
また、この発明によれば、上記移動部材を上記端部固定部材に対して接近する方向に移動させたときに、上記第１シート部材と上記第２シート部材とを離脱され、上記移動部材を上記端部固定部材に対して離間する方向に移動させたときに、上記第１シート部材と上記第２シート部材とを連結させるので、作業員が上記遮蔽空間側と上記清澄空間側とを出入りしても、上記遮蔽空間内の有害物質が清澄空間へ飛散することがなくなる。
また、この発明によれば、作業員が上記清澄空間側へ出るときには、上記防護服を上記遮蔽空間側に残置しておくので、作業員の出入りに伴って上記防護服を廃棄処分しなくてもよく、上記防護服の費用や廃棄処分費用を節約することができる。【００１１】  上記実施形態によれば、上記第２スライダーを上記移動部材に対して着脱自在に取り付けたので、たとえば、上記第１シートを清澄空間と有害物質の存在する遮蔽空間とを仕切る遮蔽膜に、上記第２シート部材を上記遮蔽空間内で作業する作業員が着用する防護服にすると、上記防護服の第３テープ部材と上記第４テープ部材の端部を上記端部固定部材から取り外し、上記第２スライダーを上記移動部材から取り外すと容易に上記防護服を上記遮蔽膜から離脱することができる。また、上記第２スライダーを上記移動部材に取り付けるだけで簡単に上記防護服と上記遮蔽膜を接合することができる。【００１２】  上記実施形態によれば、上記端部固定部材を、上記第１、第２テープ部材の端部を固定した主端部固定部材と、上記第３、第４テープ部材の端部を固定し、かつ上記主端部固定部材に着脱自在に取り付けた副端部固定部材とからなるので、たとえば、上記第１シートを清澄空間と有害物質の存在する遮蔽空間とを仕切る遮蔽膜に、上記第２シート部材を上記遮蔽空間内で作業する作業員が着用する防護服にすると、上記遮蔽膜と上記防護服との着脱のための動作が上記副端部固定部材を上記主端部固定部材に着脱するだけの動作となり簡単になる。
【図面の簡単な説明】
【００１３】
【図１】この発明の一実施形態に係る２部材の着脱装置の略示斜視図である。
【図２】この発明の一実施形態に係る２部材の着脱装置の展開図で、（ａ）は端部固定部材の正面図、（ｂ）は移動部材の左側面図、（ｃ）は移動部材の正面図、（ｄ）は右側面図である。
【図３】この発明の一実施形態に係る２部材の着脱装置に適用できるファスナーを説明するためのファスナーの正面図である。（ａ）（ｂ）は相対する２部材側部の正面図、（ｃ）は相対する２部材の開閉部を示す正面図である。
【図４】図３のファスナーにおけるスライダーの一部破断略示斜視図である。
【図５】この発明の一実施形態に係る２部材の着脱装置に適用できる他のファスナーを説明するためのファスナーの正面図である。
【図６】図４の他のファスナーにおけるスライダーの略示斜視図である。
【図７】この発明の一実施形態に係る２部材の着脱装置を適用した実施例を示す略示斜視図である。
【図８】図７に示す遮蔽膜と防護服とを接合したときの状態を示す接合部略示断面図である。
【発明を実施するための形態】
【００１４】  以下、この発明を図示の形態により詳細に説明する。
この発明の２部材の着脱装置１は、図１に示すように、移動部材１０と、端部固定部材２０とから構成されている。
上記移動部材１０は、断面略正四角形の棒状形状をなしており、図２（ｂ）（ｃ）（ｂ）に示すように、その左側面下方部に第１のスライダー１１をその開放部１１ａを上にして固定し、その右側面下方部に第２のスライダー１２をその開放部１２ａを上にして着脱可能に取り付け、その正面上方部に第３のスライダー１３をその開放部１３ａを下にして固定し、その底面上方部に第４のスライダー１４をその開放部１４ａを下にして固定して取り付けている。上記各スライダーは、後述するように、ファスナーの噛合部を噛合または開放する機能を有する。
【００１５】  上記第２のスライダー１２は、その底面に環状部１５が設けてあり、上記移動部材１０の右側面に穿った図示しない穴に該環状部１５を挿入し、上記移動部材１０の正面に穿った穴１６に挿入したピン１７を上記環状部１５に挿入して上記移動部材１０に着脱可能に取り付けられている。上記移動部材１０の上端面には、係止部１８を取り付けている。なお、上記第２のスライダー１２を上記移動部材１０に着脱可能に取り付ける手段は、上記の手段のほかに磁石の手段、マジックテープ等の手段が用いられる。
【００１６】  上記端部固定部材２０は、ファスナーのテープ部材の端部を固定する部材である。上記端部固定部材２０は、図２（ａ）に示すように、主端部固定部材２１と副端部固定部材２２で構成される。上記主端部固定部材２１は、正面視Ｌ字状形状をしており、その一辺側端部に上記副端部固定部材２２を着脱可能に取り付けている。
【００１７】  上記主端部固定部材２１の他辺側と上記副端部固定部材２２との間には、上記移動部材１０の上端が挿入される。上記主端部固定部材２１の一辺側には穴２３が形成され、上記移動部材１０の上記係止部１８が係止される。上記主端部固定部材２１の他辺側の正面と底面側には、後述するファスナー（Ａ）のテープ部材の端部を固定するビス２４等で止める座金２５が取り付けてある。上記副端部固定部材２２の上端面には、上記係止部１８と同様の形状をした図示しない係止部が取り付けられており、上記主端部固定部材２１の一辺側に形成した穴２３に上記係止部を係止することによって、上記副端部固定部材２２を上記主端部固定部材２１に着脱可能に取り付けるようになっている。また、上記副端部固定部材２２の正面と底面側には、後述するファスナー（Ａ）のテープ部材の端部を固定するビス２６等で止める座金２７が取り付けてある。
【００１８】  以下の説明を明瞭にするために、図３に基づいて、一般的なファスナー（Ａ）について説明する。このファスナー（Ａ）は、シート部材（ａ）、（ａ）を結合または開放するものである。このファスナー（Ａ）は、噛合部である務歯（ｂ）を有する２つのテープ部材（ｃ）、（ｃ）と上記務歯を噛合させまたは開放させるスライダー（ｄ）とからなる。
【００１９】  上記スライダー（ｄ）は、図４に示すように、台形形状の下側平板（ｅ）と両側縁にガイド（ｆ）、（ｆ）を有する台形形状の上側板（ｇ）とをそれらの長辺側に設けた柱材（ｈ）で一体にし、短辺側に噛合部（ｉ）を形成すると共に長辺側に開放部（ｊ）を形成したものである。上記下側平板（ｅ）とガイド（ｆ）、（ｆ）との間は、上記テープ部材（ｃ）を移動可能に挟む溝（ｋ）、（ｋ）が形成されており、上記ガイド（ｆ）、（ｆ）の内側には、上記務歯（ｂ）が通る通路（ｌ）が形成されている。上記２つのテープ部材（ｃ）、（ｃ）を上記開放部（ｊ）側から上記柱材（ｈ）を挟んで上記噛合部（ｉ）側に挿入すると、上記２つのテープ部材（ｃ）、（ｃ）のそれぞれの務歯（ｂ）が上記ガイド（ｆ）に沿って上記噛合部（ｉ）側に進み、上記噛合部（ｉ）の位置で噛合する。上記開放部１１ａ、１２ａ、１３ａ、１４ａは、上記開放部（ｊ）に該当する。
【００２０】  上記２部材の着脱装置１に上記ファスナー（Ａ）を適用する場合について、図２を参照して、説明する。
まず、上記移動部材１０の係止部１８を上記穴２３に係止して、上記移動部材１０と上記端部固定部材２０とを一体にする。そして、上記主端部固定部材２１と上記副端部固定部材２２とを図示しない係止部を上記穴２４に係止して一体にする。以下の説明のため、図において、シート部材やファスナーの構成部材を一点鎖線で示す。
【００２１】  つぎに、第１シート部材３０の一方３０ａに取り付けた第１噛合部３１を有する第１テープ部材３２を上記第１のスライダー１１の噛合部１１ｂを経て一方の溝１１ｃに挿通すると共に、上記第３のスライダー１３の開放部１３ａを経て一方の溝１３ｃに挿通する。そして、上記第３のスライダー１３の噛合部１３ｂから突出した上記第１テープ部材３２の端部を上記端部固定部材２０の主端部固定部材２１に上記座金２５と上記ビス２４によって固定する。上記第１テープ部材３２は、上記第１のスライダー１１と上記第３のスライダー１３との間で略直角に捩れている。
【００２２】  同時に、第１シート部材３０の他方３０ｂに取り付けた第２噛合部３３を有する第２テープ部材３４を上記第１のスライダー１１の噛合部１１ｂを経て他方の溝１１ｄに挿通すると共に、上記第４のスライダー１４の開放部１４ａを経て一方の溝１４ｃに挿通する。そして、上記第４のスライダー１４の噛合部１４ｂから突出した上記第２テープ部材３４の端部を上記端部固定部材２０の主端部固定部材２１に（上記第１テープ部材３２の端部を固定した面の裏側に）図示しない座金とビスによって固定する。上記第２テープ部材３４は、上記第１のスライダー１１と上記第４のスライダー１４との間で略直角に捩れている。
【００２３】  つぎに、第２シート部材３５の一方３５ａに取り付けた第３噛合部３６を有する第３テープ部材３７を上記第２のスライダー１２の噛合部１２ｂを経て一方の溝１２ｃに挿通すると共に、上記第３のスライダー１３の開放部１３ａを経て他方の溝１３ｄに挿通する。そして、上記第３のスライダー１３の噛合部１３ｂから突出した上記第３テープ部材３７の端部を上記端部固定部材２０の副端部固定部材２２に上記座金２７と上記ビス２６によって固定する。
【００２４】  同時に、第２シート部材３５の他方３５ｂに取り付けた第４噛合部３８を有する第４テープ部材３９を上記第２のスライダー１２の噛合部１２ｂを経て他方の溝１２ｄに挿通すると共に、上記第４のスライダー１４の開放部１４ａを経て他方の溝１４ｄに挿通する。そして、上記第４のスライダー１４の噛合部１４ｂから突出した上記第４テープ部材３９の端部を上記端部固定部材２０の副端部固定部材２１に（上記第３テープ部材３７の端部を固定した面の裏側に）図示しない座金とビスによって固定する。
【００２５】  この状態は、第１テープ３２の第１噛合部３１と第２テープ３４の第２噛合部３３とが噛合した状態で、第１シート部材３０（３０ａと３０ｂ）は連結された状態である。また、第３テープ３７の第３噛合部３６と第２４テープ３９の第４噛合部３８とが噛合した状態で、第２シート部材３５（３５ａと３５ｂ）は連結された状態である。
【００２６】  この状態で、上記副端部固定部材２２の図示しない係止部の上記穴２４との係止を解除して、上記副端部固定部材２２を上記主固定部材２１から切り離し、上記移動部材１０の穴１６と上記第２のスライダー１２の環状部１５に挿入したピン１７を抜いて、上記第２のスライダー１２を上記移動部材１０から離脱させる。そうすると、上記第２シート部材３５を上記第１シート部材３０から離脱させることができる。なお、上記副端部固定部材２２を上記主端部固定部材２１から切り離すことなく、第３テープ部材３７と第４テープ部材３９の端部を上記副端部固定部材から切り離してもよい。また、上記第２のスライダー１２を移動部材１０から離脱させなく、第３テープ部材３７と第４テープ部材３９の端部を上記第２のスライダー１２から引き抜いてもよい。
【００２７】  つぎに、上記副端部固定部材２２の図示しない係止部の上記穴２４に係止し、上記副端部固定部材２２を上記主固定部材２１に係着し、上記移動部材１０の穴１６と上記第２のスライダー１２の環状部１５にピン１７を挿入して、上記第２のスライダー１２を上記移動部材１０に係着する。
【００２８】  この状態で、上記係止部１８の上記穴２３との係止を解除して、上記移動部材１０を下方に（上記端部固定部材から遠ざかる方向に）移動させる。そうすると、噛合していた第１噛合部３１と第２噛合部３３は、上記第１のスライダー１１によって開放され、上記第１シート部材３０は、２辺３０ａ、３０ｂに分離される。同様に、噛合していた第３噛合部３６と第４噛合部３８は、上記第２のスライダー１２によって開放され、上記第２シート部材３５は、２辺３５ａ、３５ｂに分離される。
【００２９】  そして、上記第１噛合部３１と上記第３噛合部３６とは、上記第３のスライダー１３によって噛合され、上記第１シート部材３０の一辺３０ａと上記第２シート部材３５の一辺３５ａとが連結される。同様に、上記第２噛合部３３と上記第４噛合部３８とは、上記第４のスライダー１４によって噛合され、上記第１シート部材３０の一辺３０ｂと上記第２シート部材３５の一辺３５ｂとが連結される。上記第１シート部材３０と上記第２シート部材３５とは連通する。
【００３０】  上記噛合部３１を有する第１テープ部材３２と上記噛合部３３を有する第２テープ部材３４と上記第１のスライダー１１とで第１ファスナー４１を構成する。上記噛合部３６を有する第３テープ部材３７と上記噛合部３８を有する第４テープ部材３９と上記第２のスライダー１２とで第２ファスナー４２を構成する。
そして、上記噛合部３１を有する第１テープ部材３２と上記噛合部３６を有する第３テープ部材３７と上記第３のスライダー１３とで第３ファスナー４３（図に明示していない）を構成する。上記噛合部３３を有する第２テープ部材３４と上記噛合部３８を有する第４テープ部材３９と上記第４のスライダー１４とで第４ファスナー４４（図に明示していない）を構成する。
【００３１】  なお、上記説明において、ファスナーを噛合部が務歯である場合について説明したが、ファスナーは、噛合部がレール状（噛合レール）のファスナー、俗にレールファスナーであってもよい。
このファスナー（Ｂ）は、図５に示すように、シート部材（ａ´）、（ａ´）を結合する又は開放するものである。このファスナー（Ｂ）は、噛合レール（ｂ´）を有する２つのテープ部材（ｃ´）、（ｃ´）と上記噛合レール（ｂ´）を噛合させ又は開放させるスライダー（ｄ´）とからなる。噛合レール（ｂ´）、（ｂ´）は、レール面を重ねて噛合するようになっている。
【００３２】  上記スライダー（ｄ´）は、図６に示すように、一方片側縁にガイド（ｅ´ａ）を有し、他方片側縁に側壁（ｅ´ｂ）を有する断面Ｕ字形状のＵ字板（ｅ´）と、他方片側縁にガイド（ｇ´ａ）を有し、一方片側縁に側壁（ｇ´ｂ）を有する断面逆Ｕ字形状の逆Ｕ字板（ｇ´）とを互いに傾斜して対向させ、広く開いている側の側壁（ｅ´ｂ）と側壁（ｇ´ｂ）の間に柱材（ｈ´）を設けて一体にし、狭く開いている側に噛合部（ｉ´）を形成すると共に広く開いている側に開放部（ｊ´）を形成したものである。上記柱材（ｈ´）と上記ガイド（ｅ´ａ）、（ｇ´ａ）との間は、上記テープ部材（ｃ´）を移動可能に挟む溝（ｋ´）、（ｋ´）が形成されており、上記ガイド（ｅ´ａ）、（ｇ´ａ）の内側には、上記噛合レール（ｂ´）、（ｂ´）が通る通路（ｌ´）、（ｌ´）が形成されている。上記２つのテープ部材（ｃ´）、（ｃ´）を上記開放部（ｊ´）側から上記柱材（ｈ´）を挟んで上記噛合部（ｉ´）側に挿入すると、上記２つのテープ部材（ｃ´）、（ｃ´）のそれぞれの噛合レール（ｂ´）が上記ガイドに沿って上記噛合部（ｉ´）側に進み、上記噛合部（ｉ´）の位置で噛合する。上記開放部１１ａ、１２ａ、１３ａ、１４ａは、上記開放部（ｊ´）に該当する。
【００３３】  一実施例として、空間を清澄空間５１と有害物質の飛散する遮蔽空間５２に仕切る有害物質を遮蔽する遮蔽膜５０と、上記遮蔽空間５２内で有害物質の除去作業を行う作業員の防護服５３とに上記２部材の着脱装置１を適用する実施例について説明する。
【００３４】  図７に示すように、空間を、上記第１シート部材３０に該当する遮蔽膜５０によって、清澄空間５１と有害物質の飛散する遮蔽空間５２に仕切っている。上記遮蔽空間５２の中には上記第２シート部材３５に該当する防護服５３を着用した作業員が入っている。上記遮蔽膜５０と上記防護服５３とは、離間している。上記遮蔽膜５０には、上記第１ファスナー４１が設けられ、上記遮蔽膜５０を開閉自在にしている。上記第１ファスナー４１の端部は、上記遮蔽膜５０から突出している。突出している上記第１ファスナー４１の端部には、上記移動部材１０と上記主端部固定部材２１が取り付けてある。
【００３５】  上記防護服５３は、上記第２ファスナー４２が設けられ、上記防護服５３を出入り可能な開口を開閉自在にしている。上記第２ファスナー４２の端部は、上記防護服５３から突出している。突出している上記第２ファスナー４２の端部には、上記副端部固定部材２２と第２のスライダー１２が取り付けてある。なお、上記防護服５３には、上記清澄空間５１側から清澄空気を供給する図示しないホースが接続してあり、上記防護服５３内に清澄空気を供給している。
【００３６】  作業員が上記防護服５３の中から上記清澄空間５１に出るには、まず、上記防護服５３の第２ファスナー４２の端部の上記副端部固定部材２２を上記遮蔽膜５０の第１ファスナー４１の端部に固定した上記主端部固定部材２１に係止して取り付ける。そして、第２ファスナー４２の端部に位置している第２のスライダー１２を上記第１ファスナー４１端部の移動部材１０にピン１７を穴１６と環状部１５に挿入して取り付ける。しかる後に、上記移動部材１０の係止部材１８を穴２３からはずして、上記移動部材１０を上記端部固定部材２０から下方に（上記端部固定部材２０から遠ざかる方向に）向って移動させる。
【００３７】  そうすると、図８に示すように、第１テープ部材３２の第１噛合部３１と第２テープ部材３４の第２噛合部３３の噛合が上記第１のスライダー１１によって開放され、第３テープ部材３７の第３噛合部３６と第４テープ部材３９の第４噛合部３８の噛合が上記第２のスライダー１２によって開放される。また、同時に、第１テープ部材３２の第１噛合部３１と第３テープ部材３７の第３噛合部３６とは、上記第３のスライダー１３によって噛合し、上記第２テープ部材３４の第２噛合部３３と第４テープ部材３９の第４噛合部３８とは、上記第４のスライダー１４によって噛合する。
【００３８】  このようにして、上記遮蔽膜５０は第１ファスナー４１と上記防護服５３の第２ファスナー４２とが開放され、上記遮蔽膜５０の開放側の一方辺と上記防護服５３の開放側の一方辺とが上記第３ファスナー４３によって連結されると共に、上記遮蔽膜５０の開放側の他方辺と上記防護服５３の開放側の他方辺とが上記第４ファスナー４４によって連結される。このようにして、上記防護服５３の内部空間と上記清澄空間５１とが連通し、作業員が、有害物質に汚染されるこのなく、上記防護服５３内から上記清澄空間５１に出ることができる。また、逆に、有害物質に汚染されるこのなく、上記清澄空間５１から上記防護服５３の内部空間内に入ることができる。
【００３９】  なお、この発明の２部材の着脱装置は、上記した実施例に限らず、適用することができる。たとえば、ウイルスなどの蔓延を防止する隔離室を上記遮蔽膜で形成し、その内部に上記防護服を着用した医師等が入り、安全に作業をすることができる。
【００４０】  この発明の２部材の着脱装置１によれば、上記移動部材１０を上記端部固定部材２０に対して接近する方向に移動させたときに、上記第１シート部材３０と上記第２シート部材３５とを離脱されるので、たとえば、第１シート部材３０を上記清澄空間５１と有害物質の存在する上記遮蔽空間５２とを仕切る上記遮蔽膜５０に、上記第２シート部材３５を上記遮蔽空間５２内で作業する作業員が着用する上記防護服５３にすると、上記遮蔽膜５０から上記防護服５３を離脱でき、上記防護服５３を着用した作業員が有害物質に曝されることなく上記遮蔽空間５２内で入り、有害物質等の除去作業を行うことができる。
【００４１】  また、この発明によれば、上記移動部材１０を上記端部固定部材２０に対して離間する方向に移動させたときに、上記第１シート部材３０と上記第２シート部材３５とを連結させるので、たとえば、上記第１シート部材３０を清澄空間５１と有害物質の存在する上記遮蔽空間５２とを仕切る上記遮蔽膜５０に、上記第２シート部材３５を上記遮蔽空間５２内で作業する作業員が着用する上記防護服５３にすると、上記遮蔽膜５０と上記防護服５３が連結され、上記防護服５３の内部空間と上記遮蔽膜５０で仕切られた上記清澄空間５１とが連通し、上記防護服５３内の作業員は上記遮蔽空間５２内を通過することなく、有害物質に曝されることなく上記清澄空間５１内に出ることができる。
【００４２】  また、この発明によれば、上記移動部材１０を上記端部固定部材２０に対して接近する方向に移動させたときに、上記第１シート部材３０と上記第２シート部材３５とを離脱され、上記移動部材１０を上記端部固定部材２０に対して離間する方向に移動させたときに、上記第１シート部材３０と上記第２シート部材３５とを連結させるので、作業員が上記遮蔽空間５２側と上記清澄空間５１側とを出入りしても、上記遮蔽空間５２内の有害物質が清澄空間へ飛散しなくなる。
【００４３】  また、この発明によれば、作業員が上記清澄空間５１側へ出るときには、上記防護服５３を上記遮蔽空間５２側に残置しておくので、作業員の出入りに伴って上記防護服５３を廃棄処分しなくてもよく、上記防護服５３の費用や廃棄処分費用を節約することができる。
【００４４】  また、この発明によれば、上記第２のスライダー１２を上記移動部材１０に対して着脱自在に取り付けたので、たとえば、上記第１シート３０を上記清澄空間５１と有害物質の存在する上記遮蔽空間５２とを仕切る上記遮蔽膜５０に、上記第２シート部材３５を上記遮蔽空間５２内で作業する作業員が着用する上記防護服５３にすると、上記防護服５３の第３テープ部材３７と上記第４テープ部材３９の端部を上記端部固定部材２０から取り外し、上記第２のスライダー１２を上記移動部材１０から取り外すと容易に上記防護服５３を上記遮蔽膜５０から離脱することができる。また、上記第２のスライダーを上記移動部材１０に取り付けるだけで簡単に上記防護服５３と上記遮蔽膜５０を接合することができる。
【００４５】  また、この発明によれば、上記端部固定部材２０を、上記第１、第２テープ部材３２、３４の端部を固定した上記主端部固定部材２１と、上記第３、第４テープ部材３７、３９の端部を固定し、かつ上記主端部固定部材２１に着脱自在に取り付けた上記副端部固定部材２２とからなるので、たとえば、上記第１シート部材３０を上記清澄空間５１と有害物質の存在する上記遮蔽空間５２とを仕切る上記遮蔽膜５３に、上記第２シート部材３５を上記遮蔽空間５２内で作業する作業員が着用する上記防護服５３にすると、上記遮蔽膜５０と上記防護服５３との着脱のための動作が上記副端部固定部材２２を上記主端部固定部材２１に着脱するだけの動作となり簡単になる。
【符号の説明】
【００４６】１    ２部材の着脱装置
１０  移動部材
１１  第１のスライダー
１２  第２のスライダー
１３  第３のスライダー
１４  第４のスライダー
２０  端部固定部材
２１  主端部固定部材
２２  副端部固定部材
３０  第１シート部材
３５  第２シート部材
４１  第１ファスナー
４２  第２ファスナー
４３  第３ファスナー
４４  第４ファスナー
５０  遮蔽膜
５３  防護服
【図１】
2011136133.tif 000003
【図２】
2011136133.tif 000004
【図３】
2011136133.tif 000005
【図３】
2011136133.tif 000006
【図４】
2011136133.tif 000007
【図５】
2011136133.tif 000008
【図６】
2011136133.tif 000009
【図７】
2011136133.tif 000010
【図８】
2011136133.tif 000011
【手続補正書】
【提出日】平成22年3月2日(2010.3.2)
【手続補正２】
【補正対象書類名】明細書
【補正対象項目名】全文
【補正方法】変更
【補正の内容】
【発明の詳細な説明】
【技術分野】
【０００１】本発明は、噛合部で着脱可能にできるファスナーを使用する２つの部材を同時に着脱できる着脱装置である。
【背景技術】
【０００２】  例えば、アスベストやダイオキシン等の有害物質を除去したり取り扱ったりする場合、これらの有害物質の拡散を防止すると共に、作業者が有害物質の影響を受けないようにする必要がある。このため、有害物質の飛散を防止したり作業者を防護したりするための資器材や製品が種々開発されており、また管理手法の改善が図られている。【０００３】  アスベストやダイオキシン等の有害物質を除去したり取り扱ったりする作業では、例えば有害物質が付着した既存物を気密な被膜で覆って汚染防止処理を行った後に、外部への飛散防止のために有害物質を除去する作業空間をシート状の遮蔽膜を用いて遮蔽し、さらに高性能のフィルターを装着した送風機で作業空間内部の空気を排出して、作業空間の内部を負圧状態とし、作業者は、有害物質の飛散する遮蔽された作業空間の内部において、防護服や呼吸用器機を着用して作業を行うようにする方法が実施されている（例えば、特許文献１参照）。【０００４】  しかしながら、有害物質で汚染された作業空間の内部に作業者が立ち入って除去作業等を行う場合、▲１▼作業者は、防護服や呼吸用器機を着用した場合でも、呼吸に伴って有害物質を吸引する危険に常に曝されることになる。また、▲２▼作業員が作業空間に出入りする際や、資器材や物品を作業空間に搬出入する際には、更衣室や空気シャワー室等の中間室を経由することになっているが、これらの中間室を負圧状態に維持するための構造やシステムが確立されていないため、外部への有害物質の飛散を十分に防止できないおそれがある。さらに、▲３▼作業空間の内部で一度でも使用された防護服や呼吸用器機等は、汚染されたものとしてその全てを管理型処分場に廃棄する必要があるため、防護服や呼吸用器機等の費用や廃棄処分費用が嵩むことになる。
【先行技術文献】
【特許文献】
【０００５】
【特許文献１】特開平９−２７９８６１号公報
【発明の概要】
【発明が解決しようとする課題】
【０００６】    本発明は、このような従来の技術的課題を鑑みてなされたものであり、有害物質のある遮蔽空間を遮蔽膜で仕切り、外部への有害物質の飛散を十分に防止すると共に、防護服を着用した作業員が遮蔽空間内で安全に作業をでき、作業員が遮蔽空間に出入りしても防護服を廃棄しなくても良い２部材の着脱装置を提供することを目的とする。
【課題を解決するための手段】
【０００７】  この課題を解決するために、この発明の２部材の着脱装置は、
第１噛合部を有する第１テープ部材と第２噛合部を有する第２テープ部材とを取り付けた第１シート部材と、第３噛合部を有する第３テープ部材と第４噛合部を有する第４テープ部材とを取り付けた第２シート部材とを着脱する２部材の着脱装置であって、
上記第１テープ部材の第１噛合部と上記第２テープ部材の第２噛合部を噛合する併せ部と、上記第１および第２噛合部の噛合を分離する分離部を形成した第１のスライダーと、
上記第３テープ部材の第３噛合部と上記第４テープ部材の第４噛合部を噛合する併せ部と、上記第３および第４噛合部の噛合を分離する分離部を形成した第２のスライダーと、
上記第１テープ部材の第１噛合部と上記第３テープ部材の第３噛合部を噛合する併せ部と、上記第１および第３噛合部の噛合を分離する分離部を形成した第３のスライダーと、
上記第２テープ部材の第２噛合部と上記第４テープ部材の第４噛合部を噛合する併せ部と、上記第２および第４噛合部の噛合を分離する分離部を形成した第４のスライダーと、
上記第１のスライダーと第２のスライダーをそれぞれの分離部を同じ向きにして左右に、第３のスライダーの分離部と第４のスライダーの分離部をそれぞれの分離部を同じ向きにして前後に、かつ上記第１のスライダーと第２のスライダーの分離部と第３のスライダーと第４のスライダーの分離部とを向かい合わせるように取り付けた移動部材と、
上記第１、第２テープ部材の端部を固定すると共に、第３、第４テープ部材の端部を着脱可能に固定する端部固定部材を備え、
上記移動部材を上記端部固定部材に対して接近する方向に移動させたときに、上記第１シート部材と第２シート部材とを離脱させ、
上記移動部材を上記端部固定部材に対して離間する方向に移動させたときに、上記第１シート部材と第２シート部材とを連結させる
ことを特徴としている。【０００８】  また、１実施形態の２部材の着脱装置は、上記移動部材が以下の管状部材を備えている。それは、第１のスライダーの溝と第３のスライダーの溝との間に設け、第１のスライダーの溝と第３のスライダーの溝とを連通する長手方向に溝を形成した第１管状部材と、第１のスライダーの溝と第４のスライダーの溝との間に設け、第１のスライダーの溝と第４のスライダーの溝とを連通する長手方向に溝を形成した第２管状部材と、第２のスライダーの溝と第３のスライダーの溝との間に設け、第２のスライダーの溝と第３のスライダーの溝とを連通する長手方向に溝を形成した第３管状部材と、第２のスライダーの溝と第４のスライダーの溝との間に設け、第２のスライダーの溝と第４のスライダーの溝とを連通する長手方向に溝を形成した第４管状部材とである。【０００９】  また、１実施形態の２部材の着脱装置は、上記第２スライダーを上記移動部材に対して着脱自在に取り付けたことを特徴としている。【００１０】  また、１実施形態の２部材の着脱装置は、上記端部固定部材を、上記第１、第２テープ部材の端部を固定した主端部固定部材と、上記第３、第４テープ部材の端部を固定し、かつ上記主端部固定部材に着脱自在に取り付けた副端部固定部材とからなることを特徴としている。
【発明の効果】
【００１１】  この発明によれば、上記移動部材を上記端部固定部材に対して接近する方向に移動させたときに、上記第１シート部材と上記第２シート部材とを離脱されるので、たとえば、上記第１シート部材を清澄空間と有害物質の存在する遮蔽空間とを仕切る遮蔽膜に、上記第２シート部材を上記遮蔽空間内で作業する作業員が着用する防護服にすると、上記遮蔽膜から上記防護服を離脱でき、上記防護服を着用した作業員が有害物質に曝されることなく上記遮蔽空間内で入り、有害物質等の除去作業を行うことができる。
また、この発明によれば、上記移動部材を上記端部固定部材に対して離間する方向に移動させたときに、上記第１シート部材と上記第２シート部材とを連結させるので、たとえば、上記第１シート部材を清澄空間と有害物質の存在する遮蔽空間とを仕切る遮蔽膜に、上記第２シート部材を上記遮蔽空間内で作業する作業員が着用する防護服にすると、上記遮蔽膜と上記防護服が連結され、上記防護服の内部空間と上記遮蔽膜で仕切られた上記清澄空間とが連通し、上記防護服内の作業員は上記遮蔽空間内を通過することなく、有害物質に曝されることなく上記清澄空間内に出ることができる。
また、この発明によれば、上記移動部材を上記端部固定部材に対して接近する方向に移動させたときに、上記第１シート部材と上記第２シート部材とを離脱され、上記移動部材を上記端部固定部材に対して離間する方向に移動させたときに、上記第１シート部材と上記第２シート部材とを連結させるので、作業員が上記遮蔽空間側と上記清澄空間側とを出入りしても、上記遮蔽空間内の有害物質が清澄空間へ飛散することがなくなる。
また、この発明によれば、作業員が上記清澄空間側へ出るときには、上記防護服を上記遮蔽空間側に残置しき、再び上記遮蔽空間内に入るときには上記防護服を着用することができるので、作業員の出入りに伴って上記防護服を廃棄処分しなくてもよく、上記防護服の費用や廃棄処分費用を節約することができる。【００１２】  上記実施形態によれば、上記移動部材は、スライダーの溝間に、スライダーの溝と連通する長手方向に溝を形成した管状部材を備え、この溝にテープ部材を挿入するようにしたので、上記移動部材と、テープ部材との間に隙間がなくなり、この隙間から有害物質が通過するのを防ぎ、有害物質が拡散するのを防ぐことができる。【００１３】  また、上記実施形態によれば、上記第２スライダーを上記移動部材に対して着脱自在に取り付けたので、たとえば、上記第１シートを清澄空間と有害物質の存在する遮蔽空間とを仕切る遮蔽膜に、上記第２シート部材を上記遮蔽空間内で作業する作業員が着用する防護服にすると、上記防護服の第３テープ部材と上記第４テープ部材の端部を上記端部固定部材から取り外し、上記第２スライダーを上記移動部材から取り外すと容易に上記防護服を上記遮蔽膜から離脱することができる。また、上記第２スライダーを上記移動部材に取り付けるだけで簡単に上記防護服と上記遮蔽膜を接合することができる。【００１４】  さらに、上記実施形態によれば、上記端部固定部材を、上記第１、第２テープ部材の端部を固定した主端部固定部材と、上記第３、第４テープ部材の端部を固定し、かつ上記主端部固定部材に着脱自在に取り付けた副端部固定部材とからなるので、たとえば、上記第１シートを清澄空間と有害物質の存在する遮蔽空間とを仕切る遮蔽膜に、上記第２シート部材を上記遮蔽空間内で作業する作業員が着用する防護服にすると、上記遮蔽膜と上記防護服との着脱のための動作が上記副端部固定部材を上記主端部固定部材に着脱するだけの動作となり簡単になる。
【図面の簡単な説明】
【００１５】
【図１】この発明の一実施形態に係る２部材の着脱装置の略示斜視図である。
【図２】この発明の一実施形態に係る２部材の着脱装置の展開図で、（ａ）は端部固定部材の正面図、（ｂ）は移動部材の左側面図、（ｃ）は移動部材の正面図、（ｄ）は右側面図である。
【図３】この発明に係る２部材の着脱装置の他の実施形態の移動部材の側面図で、（ａ）は移動部材の左側面図、（ｂ）は移動部材の右側面図である。
【図４】この発明の一実施形態に係る２部材の着脱装置に適用できるファスナーを説明するためのファスナーの正面図である。
【図５】図４のファスナーにおけるスライダーの一部破断略示斜視図である。
【図６】この発明の一実施形態に係る２部材の着脱装置に適用できる他のファスナーを説明するためのファスナーの正面図である。
【図７】図６の他のファスナーにおけるスライダーの略示斜視図である。
【図８】この発明の一実施形態に係る２部材の着脱装置を適用した実施例を示す略示斜視図である。
【図９】図８に示す遮蔽膜と防護服とを接合したときの状態を示す接合部略示断面図である。
【発明を実施するための形態】
【００１６】  以下、この発明を図示の形態により詳細に説明する。
この発明の２部材の着脱装置１は、図１に示すように、ファスナーのスライダーを複数取り付け、これらスライダーを同時に移動させる移動部材１０と、ファスナーの端部を固定する端部固定部材２０とから構成されている。
上記移動部材１０は、断面略正四角形の棒状形状をなしており、図２（ｂ）、図２（ｃ）、図２（ｄ）に示すように、その左側面下方部に第１のスライダー１１をその分離部（ファスナーの噛合を分離する部分）１１ａを紙面視で上にして固定し、その右側面下方部に第２のスライダー１２をその分離部１２ａを上にして着脱可能に取り付け、その正面上方部に第３のスライダー１３をその分離部１３ａを下にして固定し、その底面上方部に第４のスライダー１４をその分離部１４ａを下にして固定して取り付けている。上記各スライダー１１、１２、１３、１４は、後述するように、ファスナーの噛合部を噛合または分離する機能を有する。
【００１７】上記第２のスライダー１２は、その底面側に環状部１５を突出させて有する。また、上記移動部材１０の右側面に左側面に向って図示しない穴を穿つとともに、上記移動部材１０の正面に裏面に向って穴１６が穿ってあり、上記図示しない穴に連通している。上記環状部１５を上記図示しない穴に挿入して上記環状部１５の中央穴と上記穴１６を連通させ、ピン１７を上記穴１６と上記環状部１５の中央穴に着脱自在に挿入することによって、上記第２のスライダー１２を上記移動部材１０に着脱可能に取り付けられる。また、上記移動部材１０の上端面には、係止部１８を取り付けている。なお、上記第２のスライダー１２を上記移動部材１０に着脱可能に取り付ける手段は、上記の手段のほかに上記第２のスライダー１２の底面と上記移動部材１０の右側面に磁石を取り付けるようにしてもよく、マジックテープを取り付けるようにしてもよい。
【００１８】  上記端部固定部材２０は、ファスナーのテープ部材の端部を固定する部材である。上記端部固定部材２０は、図２（ａ）に示すように、主端部固定部材２１と副端部固定部材２２で構成される。上記主端部固定部材２１は、正面視Ｌ字状形状をしており、その一辺側（正面視水平部）の右端部に上記副端部固定部材２２を着脱可能に取り付けている。
【００１９】上記主端部固定部材２１の他辺側（正面視垂直部）と上記副端部固定部材２２との間には、上記移動部材１０の上端が挿入される。上記主端部固定部材２１の一辺側（正面視水平部）には穴２３が形成され、上記移動部材１０の上記係止部１８が係止される。上記主端部固定部材２１の他辺側（正面視垂直部）の正面側側面と底面側側面には、後述するファスナー（Ａ）のテープ部材の端部を固定するビス２４等で止めるための座金２５が取り付けてある。さらに、上記副端部固定部材２２の上端面には、上記係止部１８と同様の形状をした図示しない係止部が取り付けられてあり、上記主端部固定部材２１の一辺側に形成した穴２４に上記係止部を係止することによって、上記副端部固定部材２２を上記主端部固定部材２１に着脱可能に取り付けるようになっている。また、上記副端部固定部材２２の正面側側面と底面側側面には、後述するファスナー（Ａ）のテープ部材の端部を固定するビス２６等で止める座金２７が取り付けてある。
【００２０】  以下の説明を明瞭にするために、図４に基づいて、一般的なファスナー（Ａ）について説明する。このファスナー（Ａ）は、シート部材（ａ）、（ａ）を噛合または分離するものである。このファスナー（Ａ）は、噛合部である務歯（ｂ）を有する２つのテープ部材（ｃ）、（ｃ）と上記務歯を噛合させまたは分離させるスライダー（ｄ）とからなる。
【００２１】  上記スライダー（ｄ）は、図５に示すように、台形形状の下側平板（ｅ）と両側縁にガイド（ｆ）、（ｆ）を有する台形形状の上側板（ｇ）とをそれらの長辺側に設けた柱材（ｈ）で一体にし、短辺側に併せ部（ｉ）を形成すると共に長辺側に分離部（ｊ）を形成したものである。上記下側平板（ｅ）とガイド（ｆ）、（ｆ）との間は、上記テープ部材（ｃ）を移動可能に挟む溝（ｋ）、（ｋ）が形成されており、上記ガイド（ｆ）、（ｆ）の内側には、上記務歯（ｂ）が通る通路（ｌ）が形成されている。上記２つのテープ部材（ｃ）、（ｃ）を上記分離部（ｊ）側から上記柱材（ｈ）を挟んで上記併せ部（ｉ）側に挿入すると、上記２つのテープ部材（ｃ）、（ｃ）のそれぞれの務歯（ｂ）が上記ガイド（ｆ）に沿って上記併せ部（ｉ）側に進み、上記併せ部（ｉ）の位置で噛合する。上記移動部材に取り付けたスライダー１１、１２、１３、１４の上記分離部１１ａ、１２ａ、１３ａ、１４ａは、上記分離部（ｊ）に該当する。
【００２２】  上記２部材の着脱装置１に上記ファスナー（Ａ）を適用する場合について、図２を参照して、説明する。
まず、上記移動部材１０の係止部１８を上記穴２３に係止して、上記移動部材１０と上記端部固定部材２０とを一体にする。そして、上記主端部固定部材２１と上記副端部固定部材２２とを図示しない係止部を上記穴２４に係止して一体にする。以下の説明のため、図において、シート部材やファスナーの構成部材を一点鎖線で示す。
【００２３】  つぎに、図２（ｂ）、図２（ｃ）に示すように、第１シート部材３０の一方３０ａに取り付けた第１噛合部（務歯）３１を有する第１テープ部材３２を上記第１のスライダー１１の併せ部１１ｂを経て一方の溝１１ｃに挿通すると共に、上記第３のスライダー１３の分離部１３ａを経て一方の溝１３ｃに挿通する。そして、図２（ａ）に示すように、上記第３のスライダー１３の併せ部１３ｂから突出した上記第１テープ部材３２の端部を上記端部固定部材２０の主端部固定部材２１の他辺側（図２（ａ）の正面視垂直部）に上記座金２５と上記ビス２４によって固定する。上記第１テープ部材３２は、上記第１のスライダー１１と上記第３のスライダー１３との間で略直角に捩れている。
【００２４】  同時に、第１シート部材３０の他方３０ｂに取り付けた第２噛合部（務歯）３３を有する第２テープ部材３４を上記第１のスライダー１１の併せ部１１ｂを経て他方の溝１１ｄに挿通すると共に、上記第４のスライダー１４の分離部１４ａを経て一方の溝１４ｃに挿通する。そして、上記第４のスライダー１４の併せ部１４ｂから突出した上記第２テープ部材３４の端部を上記端部固定部材２０の主端部固定部材２１の他辺側（図２（ａ）の正面視垂直部の裏側すなわち上記第１テープ部材３２の端部を固定した面の裏側に）に図示しない座金とビスによって固定する。上記第２テープ部材３４は、上記第１のスライダー１１と上記第４のスライダー１４との間で略直角に捩れている。
【００２５】  つぎに、図２（ｃ）、図２（ｄ）に示すように、第２シート部材３５の一方３５ａに取り付けた第３噛合部（務歯）３６を有する第３テープ部材３７を上記第２のスライダー１２の併せ部１２ｂを経て一方の溝１２ｃに挿通すると共に、上記第３のスライダー１３の分離部１３ａを経て他方の溝１３ｄに挿通する。そして、図２（ａ）に示すように、上記第３のスライダー１３の併せ部１３ｂから突出した上記第３テープ部材３７の端部を上記端部固定部材２０の副端部固定部材２２に上記座金２７と上記ビス２６によって固定する。
【００２６】  同時に、第２シート部材３５の他方３５ｂに取り付けた第４噛合部（務歯）３８を有する第４テープ部材３９を上記第２のスライダー１２の併せ部１２ｂを経て他方の溝１２ｄに挿通すると共に、上記第４のスライダー１４の分離部１４ａを経て他方の溝１４ｄに挿通する。そして、上記第４のスライダー１４の併せ部１４ｂから突出した上記第４テープ部材３９の端部を上記端部固定部材２０の副端部固定部材２１に（上記第３テープ部材３７の端部を固定した面の裏側に）図示しない座金とビスによって固定する。
【００２７】  この状態は、第１テープ３２の第１噛合部（務歯）３１と第２テープ３４の第２噛合部（務歯）３３とが噛合した状態で、第１シート部材３０（３０ａと３０ｂ）は連結された状態である。また、第３テープ３７の第３噛合部（務歯）３６と第２４テープ３９の第４噛合部（務歯）３８とが噛合した状態で、第２シート部材３５（３５ａと３５ｂ）は連結された状態である。
【００２８】  この状態で、上記副端部固定部材２２の図示しない係止部の上記穴２４との係止を解除して、上記副端部固定部材２２を上記主固定部材２１から切り離し、上記移動部材１０の穴１６と上記第２のスライダー１２の環状部１５に挿入したピン１７を抜いて、上記第２のスライダー１２を上記移動部材１０から離脱させる。そうすると、上記第２シート部材３５を上記第１シート部材３０から離脱させることができる。なお、上記副端部固定部材２２を上記主端部固定部材２１から切り離すことなく、第３テープ部材３７と第４テープ部材３９の端部を上記副端部固定部材から切り離してもよい。また、上記第２のスライダー１２を移動部材１０から離脱させなく、第３テープ部材３７と第４テープ部材３９の端部を上記第２のスライダー１２から引き抜いてもよい。
【００２９】  つぎに、上記副端部固定部材２２の図示しない係止部の上記穴２４に係止し、上記副端部固定部材２２を上記主固定部材２１に係着・固定し、上記移動部材１０の穴１６に上記第２のスライダー１２の環状部１５を挿入し、上記穴１６と上記環状部１５にピン１７を挿入して、上記第２のスライダー１２を上記移動部材１０に係着・固定する。
【００３０】  この状態で、上記係止部１８の上記穴２３との係止を解除して、上記移動部材１０を下方に（上記端部固定部材から遠ざかる方向に）移動させる。そうすると、噛合していた第１噛合部３１と第２噛合部３３は、上記第１のスライダー１１によって分離され、上記第１シート部材３０は、２辺３０ａ、３０ｂに分離される。同様に、噛合していた第３噛合部３６と第４噛合部３８は、上記第２のスライダー１２によって分離され、上記第２シート部材３５は、２辺３５ａ、３５ｂに分離される。
【００３１】  そして、同時に、上記第１噛合部３１と上記第３噛合部３６とは、上記第３のスライダー１３によって噛合され、上記第１シート部材３０の一辺３０ａと上記第２シート部材３５の一辺３５ａとが連結される。同様に、上記第２噛合部３３と上記第４噛合部３８とは、上記第４のスライダー１４によって噛合され、上記第１シート部材３０の一辺３０ｂと上記第２シート部材３５の一辺３５ｂとが連結される。上記第１シート部材３０と上記第２シート部材３５とは連通する。
【００３２】  上記噛合部３１を有する第１テープ部材３２と上記噛合部３３を有する第２テープ部材３４と上記第１のスライダー１１とで第１ファスナー４１を構成する。上記噛合部３６を有する第３テープ部材３７と上記噛合部３８を有する第４テープ部材３９と上記第２のスライダー１２とで第２ファスナー４２を構成する。
そして、上記噛合部３１を有する第１テープ部材３２と上記噛合部３６を有する第３テープ部材３７と上記第３のスライダー１３とで第３ファスナー４３を構成する。上記噛合部３３を有する第２テープ部材３４と上記噛合部３８を有する第４テープ部材３９と上記第４のスライダー１４とで第４ファスナー４４を構成する。
【００３３】さらに、上記移動部材１０は、図３（ａ）、図３（ｂ）に示すように、第１のスライダー１１の溝１１ｃと第３のスライダー１３の溝１３ｃとの間に第１管状部材６１を備えている。第１管状部材６１は、長手方向に溝６１ａを形成し、その溝６１ａは、第１のスライダー１１の溝１１ｃと第３のスライダー１３の溝１３ｃとを連通している。
【００３４】また、上記移動部材１０は、第１のスライダーの溝１１ｄと第４のスライダーの溝１４ｃとの間に第２管状部材６２を備えている。第２管状部材６２は、長手方向に溝６２ａを形成し、その溝６２ａは、第１のスライダーの溝１１ｄと第４のスライダーの溝１４ｃとを連通している。
【００３５】また、上記移動部材１０は、第２のスライダーの溝１２ｃと第３のスライダーの溝１３ｄとの間に第３管状部材６３を備えている。第３管状部材６３は、長手方向に溝６３ａを形成し、その溝６３ａは、第２のスライダーの溝１２ｃと第３のスライダーの溝１３ｄとを連通している。
【００３６】また、上記移動部材１０は、第２のスライダーの溝１２ｄと第４のスライダーの溝１４ｄとの間に第４管状部材６４を備えている。第４管状部材６４は、長手方向に溝６４ａを形成し、その溝６４ａは、第２のスライダーの溝１２ｄと第４のスライダーの溝１４ｄとを連通している。
【００３７】これら管状部材６１、６２、６３、６４は、長手方向に溝を有する断面Ｃ字形で、その溝は、約９０°捩られている。そして、これら管状部材６１、６２、６３、６４は、上記移動部材１０に固着しているのが望ましい。これら管状部材６１、６２、６３、６４の溝６１ａ、６２ａ、６３ａ、６４ａは、２つのスライダーの溝と連通し、その溝にテープ部材が挿入される。たとえば、第１のスライダー１１の溝１１ｃと第１管状部材６１の溝６１ａと第３のスライダーの溝１３ｃに第１テープ部材３２挿入される。これによって、上記移動部材１０と第１テープ部材３２との間に生じる隙間を塞ぐことができ、この隙間からの有害物質の漏出を防ぐことができ、有害物質の拡散を防ぐことができる。
【００３８】  なお、上記説明において、ファスナーを噛合部が務歯である場合について説明したが、ファスナーは、噛合部がレール状（噛合レール）のファスナー、俗にレールファスナーであってもよい。
このファスナー（Ｂ）は、図６に示すように、シート部材（ａ´）、（ａ´）を結合又は分離するものである。このファスナー（Ｂ）は、噛合レール（ｂ´）を有する２つのテープ部材（ｃ´）、（ｃ´）と上記噛合レール（ｂ´）を噛合させ又は分離させるスライダー（ｄ´）とからなる。噛合レール（ｂ´）、（ｂ´）は、レール面を重ねて噛合するようになっている。
【００３９】  上記スライダー（ｄ´）は、図７に示すように、一方片側縁にガイド（ｅ´ａ）を有し、他方片側縁に側壁（ｅ´ｂ）を有する断面Ｕ字形状のＵ字板（ｅ´）と、他方片側縁にガイド（ｇ´ａ）を有し、一方片側縁に側壁（ｇ´ｂ）を有する断面逆Ｕ字形状の逆Ｕ字板（ｇ´）とを互いに傾斜して対向させ、広く開いている側の側壁（ｅ´ｂ）と側壁（ｇ´ｂ）の間に柱材（ｈ´）を設けて一体にし、狭く開いている側に併せ部（ｉ´）を形成すると共に広く開いている側に分離部（ｊ´）を形成したものである。上記柱材（ｈ´）と上記ガイド（ｅ´ａ）、（ｇ´ａ）との間は、上記テープ部材（ｃ´）を移動可能に挟む溝（ｋ´）、（ｋ´）が形成されており、上記ガイド（ｅ´ａ）、（ｇ´ａ）の内側には、上記噛合レール（ｂ´）、（ｂ´）が通る通路（ｌ´）、（ｌ´）が形成されている。上記２つのテープ部材（ｃ´）、（ｃ´）を上記分離部（ｊ´）側から上記柱材（ｈ´）を挟んで上記併せ部（ｉ´）側に挿入すると、上記２つのテープ部材（ｃ´）、（ｃ´）のそれぞれの噛合レール（ｂ´）が上記ガイドに沿って上記併せ部（ｉ´）側に進み、上記併せ部（ｉ´）の位置で噛合する。上記分離部１１ａ、１２ａ、１３ａ、１４ａは、上記分離部（ｊ´）に該当する。
【００４０】  一実施例として、空間を清澄空間５１と有害物質の飛散する遮蔽空間５２に仕切る遮蔽膜５０と、上記遮蔽空間５２内で有害物質の除去作業を行う作業員の着用する防護服５３とに上記２部材の着脱装置１を適用する実施例について説明する。
【００４１】  図８に示すように、空間を、上記第１シート部材３０に該当する遮蔽膜５０によって、清澄空間５１と有害物質の飛散する遮蔽空間５２に仕切っている。上記遮蔽空間５２の中には上記第２シート部材３５に該当する防護服５３を着用した作業員が入っている。上記遮蔽膜５０と上記防護服５３とは、離間している。上記遮蔽膜５０には、上記第１ファスナー４１が設けられ、上記遮蔽膜５０を開閉自在にすることによって、上記遮蔽膜５０に出入り可能な開口を形成する。上記第１ファスナー４１の端部は、上記遮蔽膜５０から突出している。突出している上記第１ファスナー４１の端部には、上記移動部材１０と上記主端部固定部材２１が取り付けてある。上記主端部固定部材２１は、上記第１ファスナー４１の端部に固定され、上記移動部材１０は、上記主端部固定部材２１に対して、上記第１ファスナー４１の噛合部に沿って移動させることができる。
【００４２】上記防護服５３は、上記第２ファスナー４２が設けられ、上記第２ファスナー４２を開閉自在にすることによって、上記防護服５３に出入り可能な開口を形成する。上記第２ファスナー４２の端部は、上記防護服５３から突出している。突出している上記第２ファスナー４２の端部には、上記副端部固定部材２２と第２のスライダー１２が取り付けてある。なお、上記防護服５３には、上記清澄空間５１側から清澄空気を供給する図示しないホースが接続してあり、上記防護服５３内に清澄空気を供給している。
【００４３】  作業員が上記防護服５３の中から上記清澄空間５１に出るには、まず、上記防護服５３の第２ファスナー４２の端部の上記副端部固定部材２２を上記遮蔽膜５０の第１ファスナー４１の端部に固定した上記主端部固定部材２１に係止して取り付ける。そして、第２ファスナー４２の端部に位置している第２のスライダー１２を上記第１ファスナー４１端部にある上記移動部材１０に取り付ける。この取り付けは、上記移動部材１０の図示しない穴に環状部１５を挿入して、上記穴１６と環状部１５にピン１７を挿入して行う。しかる後に、上記移動部材１０の係止部材１８を穴２３からはずして、上記移動部材１０を上記端部固定部材２０から下方に（上記端部固定部材２０から遠ざかる方向に）向って移動させる。
【００４４】  そうすると、図９に示すように、第１テープ部材３２の第１噛合部３１と第２テープ部材３４の第２噛合部３３の噛合が上記第１のスライダー１１によって分離され、第３テープ部材３７の第３噛合部３６と第４テープ部材３９の第４噛合部３８の噛合が上記第２のスライダー１２によって分離される。また、同時に、第１テープ部材３２の第１噛合部３１と第３テープ部材３７の第３噛合部３６とは、上記第３のスライダー１３によって噛合し、上記第２テープ部材３４の第２噛合部３３と第４テープ部材３９の第４噛合部３８とは、上記第４のスライダー１４によって噛合する。
【００４５】このようにして、上記遮蔽膜５０の第１ファスナー４１が分離されると共に上記防護服５３の第２ファスナー４２が分離される。同時に、上記遮蔽膜５０の一方辺と上記防護服５３の一方辺とが上記第３ファスナー４３によって連結されると共に、上記遮蔽膜５０の他方辺と上記防護服５３の他方辺とが上記第４ファスナー４４によって連結される。このようにして、上記防護服５３の内部空間と上記清澄空間５１とが連通し、作業員が、有害物質に汚染されることなく、上記防護服５３内から上記清澄空間５１に出ることができる。また、逆に、有害物質に汚染されるこのなく、上記清澄空間５１から上記防護服５３の内部空間内に入ることができる。
【００４６】  なお、この発明の２部材の着脱装置は、上記した実施例に限らず、適用することができる。たとえば、ウイルスなどの蔓延を防止する隔離室を上記遮蔽膜で形成し、その内部に上記防護服を着用した医師等が入り治療する場合に適用でき、ウイルスの感染を防止しつつ安全に治療をすることができる。
【００４７】  この発明の２部材の着脱装置１によれば、上記移動部材１０を上記端部固定部材２０に対して接近する方向に移動させたときに、上記第１シート部材３０と上記第２シート部材３５とを離脱されるので、たとえば、第１シート部材３０を上記清澄空間５１と有害物質の存在する上記遮蔽空間５２とを仕切る上記遮蔽膜５０に、上記第２シート部材３５を上記遮蔽空間５２内で作業する作業員が着用する上記防護服５３にすると、上記遮蔽膜５０から上記防護服５３を離脱でき、上記防護服５３を着用した作業員が有害物質に曝されることなく上記遮蔽空間５２内で入り、有害物質等の除去作業を行うことができる。
【００４８】  また、この発明によれば、上記移動部材１０を上記端部固定部材２０に対して離間する方向に移動させたときに、上記第１シート部材３０と上記第２シート部材３５とを連結させるので、たとえば、上記第１シート部材３０を清澄空間５１と有害物質の存在する上記遮蔽空間５２とを仕切る上記遮蔽膜５０に、上記第２シート部材３５を上記遮蔽空間５２内で作業する作業員が着用する上記防護服５３にすると、上記遮蔽膜５０と上記防護服５３が連結され、上記防護服５３の内部空間と上記遮蔽膜５０で仕切られた上記清澄空間５１とが連通し、上記防護服５３内の作業員は上記遮蔽空間５２内を通過することなく、有害物質に曝されることなく上記清澄空間５１内に出ることができる。
【００４９】  また、この発明によれば、上記移動部材１０を上記端部固定部材２０に対して接近する方向に移動させたときに、上記第１シート部材３０と上記第２シート部材３５とを離脱され、上記移動部材１０を上記端部固定部材２０に対して離間する方向に移動させたときに、上記第１シート部材３０と上記第２シート部材３５とを連結させるので、作業員が上記遮蔽空間５２側と上記清澄空間５１側とを出入りしても、上記遮蔽空間５２内の有害物質が清澄空間へ飛散しなくなる。
【００５０】  また、この発明によれば、作業員が上記清澄空間５１側へ出るときには、上記防護服５３を上記遮蔽空間５２側に残置しておくので、作業員の出入りに伴って上記防護服５３を廃棄処分しなくてもよく、上記防護服５３の費用や廃棄処分費用を節約することができる。
【００５１】  また、この発明によれば、上記移動部材１０は、たとえば、スライダー１１、１３の溝１１ｃ、１３ｃ間に、スライダーの溝と連通する長手方向に溝６１ａを形成した管状部材６１を備え、この溝６１ａにテープ部材３２を挿入するようにしたので、上記移動部材１０と、テープ部材３２との間に隙間がなくなり、この隙間から有害物質が漏出するのを防ぎ、有害物質が拡散するのを防ぐことができる。
【００５２】  また、この発明によれば、上記第２のスライダー１２を上記移動部材１０に対して着脱自在に取り付けたので、たとえば、上記第１シート３０を上記清澄空間５１と有害物質の存在する上記遮蔽空間５２とを仕切る上記遮蔽膜５０に、上記第２シート部材３５を上記遮蔽空間５２内で作業する作業員が着用する上記防護服５３にすると、上記防護服５３の第３テープ部材３７と上記第４テープ部材３９の端部を上記端部固定部材２０から取り外し、上記第２のスライダー１２を上記移動部材１０から取り外すと容易に上記防護服５３を上記遮蔽膜５０から離脱することができる。また、上記第２のスライダーを上記移動部材１０に取り付けるだけで簡単に上記防護服５３と上記遮蔽膜５０を接合することができる。
【００５３】  また、この発明によれば、上記端部固定部材２０を、上記第１、第２テープ部材３２、３４の端部を固定した上記主端部固定部材２１と、上記第３、第４テープ部材３７、３９の端部を固定し、かつ上記主端部固定部材２１に着脱自在に取り付けた上記副端部固定部材２２とからなるので、たとえば、上記第１シート部材３０を上記清澄空間５１と有害物質の存在する上記遮蔽空間５２とを仕切る上記遮蔽膜５３に、上記第２シート部材３５を上記遮蔽空間５２内で作業する作業員が着用する上記防護服５３にすると、上記遮蔽膜５０と上記防護服５３との着脱のための動作が上記副端部固定部材２２を上記主端部固定部材２１に着脱するだけの動作となり簡単になる。
【符号の説明】
【００５４】１  ２部材の着脱装置
１０  移動部材
１１  第１のスライダー
１２  第２のスライダー
１３  第３のスライダー
１４  第４のスライダー
２０  端部固定部材
２１  主端部固定部材
２２  副端部固定部材
３０  第１シート部材
３５  第２シート部材
４１  第１ファスナー
４２  第２ファスナー
４３  第３ファスナー
４４  第４ファスナー
５０  遮蔽膜
５３  防護服
６１  第１管状部材
６２  第２管状部材
６３  第３管状部材
６４  第４管状部材
【手続補正３】
【補正対象書類名】特許請求の範囲
【補正対象項目名】全文
【補正方法】変更
【補正の内容】
【特許請求の範囲】
【請求項１】
第１噛合部を有する第１テープ部材と第２噛合部を有する第２テープ部材とを取り付けた第１シート部材と、第３噛合部を有する第３テープ部材と第４噛合部を有する第４テープ部材とを取り付けた第２シート部材とを着脱する２部材の着脱装置であって、
上記第１テープ部材の第１噛合部と上記第２テープ部材の第２噛合部を噛合する併せ部と、上記第１および第２噛合部の噛合を分離する分離部を形成した第１のスライダーと、
上記第３テープ部材の第３噛合部と上記第４テープ部材の第４噛合部を噛合する併せ部と、上記第３および第４噛合部の噛合を分離する分離部を形成した第２のスライダーと、
上記第１テープ部材の第１噛合部と上記第３テープ部材の第３噛合部を噛合する併せ部と、上記第１および第３噛合部の噛合を分離する分離部を形成した第３のスライダーと、
上記第２テープ部材の第２噛合部と上記第４テープ部材の第４噛合部を噛合する併せ部と、上記第２および第４噛合部の噛合を分離する分離部を形成した第４のスライダーと、
上記第１のスライダーと第２のスライダーをそれぞれの分離部を同じ向きにして左右に、第３のスライダーの分離部と第４のスライダーの分離部をそれぞれの分離部を同じ向きにして前後に、かつ上記第１のスライダーと第２のスライダーの分離部と第３のスライダーと第４のスライダーの分離部とを向かい合わせるように取り付けた移動部材と、
上記第１、第２テープ部材の端部を固定すると共に、第３、第４テープ部材の端部を着脱可能に固定する端部固定部材を備え、
上記移動部材を上記端部固定部材に対して接近する方向に移動させたときに、上記第１シート部材と第２シート部材とを離脱させ、
上記移動部材を上記端部固定部材に対して離間する方向に移動させたときに、上記第１シート部材と第２シート部材とを連結させる
ことを特徴とする２部材の着脱装置。
【請求項２】
請求項１に記載の２部材の着脱装置において、
上記移動部材は、上記第１のスライダーの溝と上記第３のスライダーの溝との間に設け、上記第１のスライダーの溝と上記第３のスライダーの溝とを連通する長手方向に溝を形成した第１管状部材と、上記第１のスライダーの溝と上記第４のスライダーの溝との間に設け、上記第１のスライダーの溝と上記第４のスライダーの溝とを連通する長手方向に溝を形成した第２管状部材と、上記第２のスライダーの溝と上記第３のスライダーの溝との間に設け、上記第２のスライダーの溝と上記第３のスライダーの溝とを連通する長手方向に溝を形成した第３管状部材と、上記第２のスライダーの溝と上記第４のスライダーの溝との間に設け、上記第２のスライダーの溝と上記第４のスライダーの溝とを連通する長手方向に溝を形成した第４管状部材とを備えていることを特徴とする２部材の着脱装置。
【請求項３】
請求項１に記載の２部材の着脱装置において、
上記第２スライダーは、上記移動部材に対して着脱自在に取り付けたことを特徴とする２部材の着脱装置。
【請求項４】
請求項１または２に記載の２部材の着脱装置において、
上記端部固定部材は、上記第１、第２テープ部材の端部を固定した主端部固定部材と、上記第３、第４テープ部材の端部を固定し、かつ上記主端部固定部材に着脱自在に取り付けた副端部固定部材とからなることを特徴とする２部材の着脱装置。
【手続補正４】
【補正対象書類名】図面
【補正対象項目名】全図
【補正方法】変更
【補正の内容】
【図１】
2011136133.tif 000012
【図２】
2011136133.tif 000013
【図３】
2011136133.tif 000014
【図４】
2011136133.tif 000015
【図５】
2011136133.tif 000016
【図６】
2011136133.tif 000017
【図７】
2011136133.tif 000018
【図８】
2011136133.tif 000019
【図９】
2011136133.tif 000020